(57)【要約】【課題】  対象物が平坦面だけでなく、湾曲面や狭隘な箇所の場合にも適用可能な防護カバーを提供する。【解決手段】  高圧洗浄機１５の噴射ノズル１９に取り付けられ、該噴射ノズル１９から噴射されて対象物３１の表面で跳ね返った洗浄液３２や、対象物３１の表面から除去された汚れ等の付着物３３を受け止める防護カバー１であって、前記噴射ノズル１９に取り付けられて、前記噴射ノズル１９の軸線を中心として開閉可能であるとともに、開閉角度の調整が可能であり、かつ開いた状態の内面側で前記対象物３１の表面で跳ね返った洗浄液３２や汚れ等の付着物３３を受け止め可能なカバー本体２と、該カバー本体２を開閉させる開閉手段８とを備えている。【選択図】  図１
2012223703.tif 000002
【特許請求の範囲】
【請求項１】
高圧洗浄機の噴射ノズルに取り付けられ、該噴射ノズルから噴射されて対象物の表面で跳ね返った洗浄液や、対象物の表面から除去された汚れ等の付着物を受け止める防護カバーであって、
前記噴射ノズルに取り付けられて、前記噴射ノズルの軸線を中心として開閉可能であるとともに、開閉角度の調整が可能であり、かつ開いた状態の内面側で前記対象物の表面で跳ね返った洗浄液や汚れ等の付着物を受け止め可能なカバー本体と、該カバー本体を開閉させる開閉手段とを備えていることを特徴とする防護カバー。
【請求項２】
前記カバー本体は、傘状に開閉可能なカバー部と、該カバー部を支持する骨部とからなることを特徴とする請求項１に記載の防護カバー。
【請求項３】
前記骨部は、前記カバー部を支持する複数の親骨と、各親骨と前記開閉手段との間にそれぞれ設けられる複数の受骨とからなることを特徴とする請求項２に記載の防護カバー。
【請求項４】
前記開閉手段は、前記噴射ノズルに固定される固定部と、前記噴射ノズルに沿ってスライド可能なスライダーとからなり、
前記固定部に前記各親骨の基端が回動自在に連結され、前記スライダー及び前記各親骨に前記各受骨の両端が回動自在に連結されていることを特徴とする請求項３に記載の防護カバー。
【請求項５】
前記噴射ノズルには軸部が一体に設けられ、該軸部に前記固定部が設けられ、該軸部上に前記スライダーがスライド可能に設けられていることを特徴とする請求項４に記載の防護カバー。
【発明の詳細な説明】
【技術分野】
【０００１】
本発明は、防護カバーに関し、特に、高圧洗浄機の噴射ノズルに取り付けられて用いられる防護カバーに関する。
【背景技術】
【０００２】
従来、建物の外壁面等の対象物に付着した汚れ等の付着物を除去するために、高圧洗浄機を用い、高圧洗浄機から対象物に向けて洗浄液を高圧で噴射させて対象物の表面を洗浄することにより、対象物の表面に付着した汚れ等の付着物を除去することが行われている。
【０００３】
ところで、高圧洗浄機から対象物に向けて洗浄液を高圧で噴射させた場合、対象物の表面で跳ね返った洗浄液や対象物の表面から除去された汚れ等の付着物が周辺に飛び散り、周辺を汚したり、作業者の衣服に付着して衣服を汚したりする問題が生じることがある。
【０００４】
このため、特許文献１や特許文献２に記載されているように、噴射ノズルに防護カバーを取り付け、この防護カバーで対象物の表面で跳ね返った洗浄液や、対象物の表面から除去された汚れ等の付着物を受け止めることにより、それらが周辺に飛び散ったり、作業者の衣服に付着したりするのを防止することが行われている。
【０００５】
特許文献１に記載の防護カバー（カバー部材）は、先広がりの筒状をなすものであって、このカバー部材を噴射ノズルの先端に噴射口の周囲を覆うように取り付け、このカバー部材の先端を対象物の表面に当接させた状態で、噴射ノズルの噴射口から対象物に向けて洗浄液を高圧で噴射させることにより、対象物の表面で跳ね返った洗浄液や、対象物の表面から除去された汚れ等の付着物をカバー部材の内面側で受け止め、それらが周辺に飛び散ったり、作業者の衣服に付着したりするのを防止するように構成したものである。
【０００６】
また、特許文献２に記載の防護カバー（ブースターカバー）は、特許文献１に記載のカバー部材と同様に先広がりの筒状をなすものであって、このブースターカバーを高圧ホースの先端に取り付け、このブースターカバーの先端を対象物の表面に当接させた状態で、噴射ノズルから対象物に向けて洗浄液を高圧で噴射させることにより、対象物の表面で跳ね返った洗浄液や、対象物の表面から除去された汚れ等の付着物をブースターカバーの内面側で受け止め、それらが周辺に飛び散ったり、作業者の衣服に付着したりするのを防止するように構成したものである。
【先行技術文献】
【特許文献】
【０００７】
【特許文献１】登録実用新案第３００９３３４号公報
【特許文献２】登録実用新案第３０４０００５号公報
【発明の概要】
【発明が解決しようとする課題】
【０００８】
しかし、特許文献１、２に記載の防護カバー（カバー部材、ブースターカバー）は、形状、大きさが固定されているため、対象物が建物の外壁面等のように、平坦面の場合には問題はないが、対象物がコンクリートミキサの内壁面等のように、湾曲面や狭隘な箇所等の場合には、防護カバーの先端を対象物の表面に隙間なく当接させることができないため、対象物の表面で跳ね返った洗浄液や、対象物の表面から除去された汚れ等の付着物を防護カバーの内面側で完全に受け止めことができず、それらが周辺に飛び散って周辺を汚したり、作業者の衣服に付着したりする問題を完全に解消することができない。
【０００９】
本発明は、上記のような従来の問題に鑑みなされたものであって、高圧洗浄機で対象物の表面に付着した汚れ等の付着物を除去する場合に、対象物が湾曲面や狭隘な箇所の場合であっても、対象物の表面で跳ね返った洗浄液や、対象物の表面から除去された汚れ等の付着物を確実に受け止めることができる防護カバーを提供することを目的とする。
【課題を解決するための手段】
【００１０】
上記のような課題を解決するために、本発明は、以下のような手段を採用している。
すなわち、本発明は、高圧洗浄機の噴射ノズルに取り付けられ、該噴射ノズルから噴射されて対象物の表面で跳ね返った洗浄液や、対象物の表面から除去された汚れ等の付着物を受け止める防護カバーであって、前記噴射ノズルに取り付けられて、前記噴射ノズルの軸線を中心として開閉可能であるとともに、開閉角度の調整が可能であり、かつ開いた状態の内面側で前記対象物の表面で跳ね返った洗浄液や汚れ等の付着物を受け止め可能なカバー本体と、該カバー本体を開閉させる開閉手段とを備えていることを特徴とする。
【００１１】
本発明の防護カバーによれば、開閉手段の操作によってカバー本体を開いた状態とすることにより、カバー本体の内面側で対象物の表面で跳ね返った洗浄液や、対象物の表面から除去された汚れ等の付着物を受け止めることができる。また、対象物の形状、大きさ等に応じて、カバー本体の開閉角度を調整することにより、対象物の形状、大きさ等に関わらずに、対象物の表面で跳ね返った洗浄液や、対象物の表面から除去された汚れ等の付着物を確実に受け止めることができる。
【００１２】
また、本発明において、前記カバー本体は、傘状に開閉可能なカバー部と、該カバー部を支持する骨部とからなることとしてもよい。
【００１３】
本発明の防護カバーによれば、骨部によって支持されるカバー部を傘状に開くことにより、対象物の表面で跳ね返った洗浄液や、対象物の表面から除去された汚れ等の付着物をカバー部の内面側で受け止めることができる。また、カバー部の傘状に開く角度を調整することにより、各種の形状、大きさの対象物に適用することができる。
【００１４】
さらに、本発明において、前記骨部は、前記カバー部を支持する複数の親骨と、各親骨と前記開閉手段との間にそれぞれ設けられる複数の受骨とからなることとしてもよい。
【００１５】
本発明の防護カバーによれば、開閉手段の操作により、各受骨及び各親骨を介してカバー部を傘状に開閉させることができる。また、開閉手段の操作により、各受骨及び各親骨を介して傘状に開閉させるカバー部の角度を調整することができる。
【００１６】
さらに、本発明において、前記開閉手段は、前記噴射ノズルに固定される固定部と、前記噴射ノズルに沿ってスライド可能なスライダーとからなり、前記固定部に前記各親骨の基端が回動自在に連結され、前記スライダー及び前記各親骨に前記各受骨の両端が回動自在に連結されていることとしてもよい。
【００１７】
本発明の防護カバーによれば、開閉手段のスライダーを噴射ノズルに沿ってスライドさせることにより、スライダー、各受骨、及び各親骨を介してカバー部を開閉させることができる。また、スライダーの噴射ノズル上の位置を調整することにより、スライダーの位置に応じた角度にカバー部の開閉角度を調整することができる。
【００１８】
さらに、本発明において、前記噴射ノズルには軸部が一体に設けられ、該軸部に前記固定部が設けられ、該軸部上に前記スライダーがスライド可能に設けられていることとしてもよい。
【００１９】
本発明の防護カバーによれば、軸部に沿ってスライダーをスライドさせることにより、スライダー、各受骨、及び各親骨を介してカバー部を開閉させることができる。また、スライダーの軸部上の位置を調整することにより、スライダーの位置に応じた角度にカバー部の開閉角度を調整することができる。
【発明の効果】
【００２０】
以上、説明したように、本発明の防護カバーによれば、開閉手段の操作により、カバー本体を開いた状態とすることにより、カバー本体の内面側で対象物の表面で跳ね返った洗浄液や、対象物の表面から除去された汚れ等の付着物を受けとけることができ、それらが周辺に飛び散って、周辺を汚したり、作業者の衣服に付着して衣服を汚したりするのを防止できる。また、開閉手段の操作により、カバー本体の開閉角度を調整することにより、カバー本体の大きさを調整することができるので、対象物が平坦面の場合だけでなく、湾曲面や狭隘な箇所の場合にも対応することができ、各種の形状、大きさの対象物に適用することができる。
【図面の簡単な説明】
【００２１】
【図１】本発明による防護カバーの一実施の形態を示した概略図であって、カバー本体を最大に開いた状態を示した概略図である。
【図２】カバー本体の開閉角度を小さく調整した状態を示した概略図である。
【発明を実施するための形態】
【００２２】
以下、図面を参照しながら本発明の実施の形態について説明する。
図１及び図２には、本発明による防護カバーの一実施の形態が示されている。本実施の形態の防護カバー１は、高圧洗浄機１５の噴射ノズル１９に取り付けられて用いられるものであって、高圧洗浄機１５の噴射ノズル１９から噴射されて対象物３１の表面で跳ね返った洗浄液３２や、対象物３１の表面から除去された汚れ等の付着物３３が、周辺に飛び散って周辺を汚したり、作業者の衣服に付着して衣服を汚したりするのを防止するのに有効なものである。
【００２３】
高圧洗浄機１５は、例えば、洗浄液３２（水、水と洗浄剤との混合液等）を高圧で吐出させる洗浄機本体１６と、洗浄機本体１６の吐出口１７に高圧ホース２４を介して接続される噴射ノズル１９とを備え、洗浄機本体１６の給水口１８が給水ホース２３を介して水道等の給水源３０に接続される。
【００２４】
噴射ノズル１９は、例えば、管状のノズル本体２０と、ノズル本体２０の基端部に設けられる握り部２１と、ノズル本体２０の先端部に設けられる噴射口２２とを備え、ノズル本体２０の基端部が高圧ホース２４を介して洗浄機本体１６の吐出口１７に接続される。
【００２５】
水道等の給水源３０から給水ホース２３を介して洗浄機本体１６に水を供給し、洗浄機本体１６を作動させて、噴射ノズル１９の噴射口２２から対象物３１に向けて洗浄液３２を高圧で噴射させて、対象物３１の表面を洗浄液３２で洗浄することにより、対象物３１の表面に付着した汚れ等の付着物３３を除去することができる。
【００２６】
本実施の形態の防護カバー１は、噴射ノズル１９のノズル本体２０に取り付けられて、ノズル本体２０の軸線を中心として傘状（円錐状）に開閉可能、かつ開閉角度の調整が可能なカバー本体２と、カバー本体２を開閉させる開閉手段８とを備えている。
【００２７】
カバー本体２は、ノズル本体２０の軸線を中心として傘状に開閉可能なカバー部３と、カバー部３を支持する骨部４とから構成され、開閉手段８の操作により、骨部４を介してカバー部３を開閉させることができる。
【００２８】
カバー部３は、略円形のシート状をなすものであって、中心部をノズル本体２０が挿通するようにノズル本体２０に取り付けられる。カバー部３の内面側で、対象物３１の表面で跳ね返った洗浄液や、対象物３１の表面から除去された汚れ等の付着物３３が受け止められる。
【００２９】
カバー部３は、一枚の略円形のシート状の材料で形成してもよいし、二枚の略半円形のシート状の材料を接合して略円形のシート状に形成してもよいし、複数枚の略扇形のシート状の材料を接合して略円形のシート状に形成してもよい。
【００３０】
カバー部３は、対象物３１の表面で跳ね返った洗浄液３２や、対象物３１の表面から除去された汚れ等の付着物３３を受け止めることが可能な強度を有し、かつ円滑に傘状に開閉可能な材料から形成され、例えば、弾性を有する各種の合成ゴム材、合成樹脂材等から形成される。
【００３１】
カバー部３は、外面側から内面側を透視可能な透明又は半透明の材料で形成することが好ましい。このような材料でカバー部３を形成することにより、噴射ノズル１９の噴射口２２から洗浄液３２を噴射させて対象物３１の表面を洗浄する際に、カバー部３の外面側から対象物３１の表面の状態を目視しながら、対象物３１の表面の洗浄作業を行うことができる。
【００３２】
骨部４は、カバー部３の外面側に放射状に一体に設けられる複数の親骨５と、各親骨５と後述する開閉手段８のスライダー１２との間に連結される複数の受骨６とから構成されている。各親骨５は、カバー部３の外面側に、接着剤、ねじ等によって一体に接合されるとともに、基端が後述する開閉手段８の固定部１１に回動自在に連結されている。各受骨６は、一端が各親骨５に回転自在に連結され、他端がスライダー１２に回動自在に連結されている。
【００３３】
開閉手段８は、噴射ノズル１９のノズル本体２０に一体に取り付けられる筒状の軸部９と、軸部９の一端部（噴射ノズル１９の噴射口２２側の端部）に一体に設けられる環状の固定部１１と、軸部９上にスライド可能に設けられる環状のスライダー１２とから構成されている。
【００３４】
軸部９は、ノズル本体２０に固定ねじ１０によって一体に取り付けられるとともに、固定ねじ１０を緩めることによってノズル本体２０上を移動させて、ノズル本体２０の任意の位置に位置決めすることができる。
【００３５】
開閉手段８の固定部１１には、各親骨５の基端がピン７を介して図中矢印方向に回動自在に連結され、スライダー１２には、各受骨６の一端がピン７を介して図中矢印方向に回動自在に連結され、各受骨６の他端は、ピン７を介して各親骨５に図中矢印方向に回動自在に連結されている。
【００３６】
開閉手段８のスライダー１２を軸部９に沿って図中Ａ方向に移動させることにより、スライダー１２と一体に各受骨６が同一方向に移動し、各親骨５がピン７を中心として図中矢印方向（開く方向）に回動し、カバー部３がノズル本体２０の軸線を中心として傘状に開かれる。
【００３７】
開閉手段８のスライダー１２を軸部９に沿って図中Ｂ方向に移動させることにより、スライダー１２と一体に各受骨６が同一方向に移動し、各親骨５がピン７を中心として図中矢印方向（閉じる方向）に回動し、カバー部３がノズル本体２０の軸線を中心として傘状に閉じられる。
【００３８】
開閉手段８のスライダー１２を軸部９に沿って移動させて、任意の位置に位置決めすることにより、スライダー１２の位置に応じた角度に各受骨６の開閉角度が調整され、各受骨６の開閉角度に応じた角度にカバー部３の開閉角度が調整される。
【００３９】
そして、上記のように構成した本実施の形態の防護カバー１を高圧洗浄機１５の噴射ノズル１９のノズル本体２０に取り付け、開閉手段８のスライダー１２を軸部９上をスライドさせてカバー本体２０を傘状に開き、この状態で噴射ノズル１９の先端の噴射口２２を対象物３１に向け、洗浄機本体１６を作動させ、噴射ノズル１９の噴射口２２から洗浄液３２を対象物３１に向けて高圧で噴射させて、対象物３１の表面を洗浄液３２で洗浄することにより、対象物３１の表面に付着した汚れ等の付着物３３を除去することができる。
【００４０】
この場合、噴射ノズル１９の噴射口２２から噴射されて対象物３１の表面で跳ね返った洗浄液３２や、対象物３１の表面から除去された汚れ等の付着物３３が、噴射ノズル１９を操作する作業者の方向に飛び散ろうとするが、それらを防護カバー１の傘状に開いたカバー本体２の内面側で受け止めることができるので、それらが周辺に飛び散って周辺を汚したり、作業者の衣服に付着して衣服を汚したりするようなことはない。
【００４１】
また、防護カバー１のカバー本体２は、開閉角度の調整が可能となっているので、対象物３１の形状、大きさ等に応じて、図１又は図２に示すように、カバー本体２の開閉角度を調整して、カバー本体２の大きさを調整することにより、各種の形状、大きさの対象物３１に適用することができる。
【００４２】
従って、対象物３１が建物の外壁面のように、平坦面の場合だけでなく、コンクリートミキサの内壁面のように、湾曲面や狭隘な箇所の場合にも適用することができ、そのような場合にも、対象物３１の表面で跳ね返った洗浄液３２や、対象物３１の表面から除去された汚れ、コンクリート等の付着物３３を確実に受け止めることができる。
【００４３】
なお、前記の説明においては、開閉手段８を軸部９と固定部１１とスライダー１２とによって構成し、軸部９をノズル本体２０に取り付け、軸部９の一端部に固定部１１を一体に設け、軸部９上にスライダー１２をスライド可能に設けたが、図示はしないが、固定部１１をノズル本体２０に直接に取り付け、スライダー１２をノズル本体２０に直接にスライド可能に取り付けてもよい。このような構成とすることにより軸部９を省略することができるので、開閉手段８の構成部品の数を減らすことができる。
【００４４】
また、前記の説明においては、カバー本体２を傘状（円錐状）に開閉させるように構成したが、カバー本体２をその他の周知の形状（三角錐状、四角錐状等）に開閉させるように構成してもよい。
【符号の説明】
【００４５】
１  防護カバー
２  カバー本体
３  カバー部
４  骨部
５  親骨
６  受骨
７  ピン
８  開閉手段
９  軸部
１０  固定ねじ
１１  固定部
１２  スライダー
１５  高圧洗浄機
１６  洗浄機本体
１７  吐出口
１８  給水口
１９  噴射ノズル
２０  ノズル本体
２１  握り部
２２  噴射口
２３  給水ホース
２４  高圧ホース
３０  給水源
３１  対象物
３２  洗浄液
３３  付着物
【図１】
2012223703.tif 000003
【図２】
2012223703.tif 000004